(57)【要約】      （修正有）【課題】保温ボトル内に入れた液体が蓋と接触するのを避けて、有害物質の発生を防止し、飲用する者の健康を確保するセーフティ保温ボトルの構造を提供する。【解決手段】主にボディ、蓋、導流蓋、隔離カバー及び内蓋セットで構成するセーフティ保温ボトルである。ボディ１に本体１１を設置し、本体内に収納スペースを具有し、且つ本体の頂端に飲み口１３を設け、飲み口に蓋２を螺合する。蓋内にステンレスで作られた隔離カバー４を設置し、飲み口内に導流蓋３を設置する。導流蓋に套接リング３１を設置し、套接リング内にステンレスで作られた内蓋セット５を設置する。ステンレスの内蓋セットと隔離カバーで保温ボトル内のプラスティックの蓋と套接リングを遮蔽することで、有害物質が発生するのを防止する。【選択図】図１
0003195077.tif 000002
【実用新案登録請求の範囲】
【請求項１】
ボディ、蓋、導流蓋、隔離カバー及び内蓋セットを含み、
該ボディに本体を設置し、本体内に収納スペースを具有し、且つ本体の頂端に飲み口を設け、飲み口に蓋を螺合し、且つ飲み口内に導流蓋を設置し、その特徴とは：
該導流蓋に套接リングを設置し、套接リング内にステンレスの材質で作られた内蓋セットを設置し、套接リングを飲み口の内側に套接し、且つ套接リングの下方外側縁に漏れ止めリングを設置することで、漏れ止めリングを飲み口と套接リングの間に位置させ、
内蓋セットに遮蔽パーツを設置し、遮蔽パーツは遮蔽部を具有し、遮蔽部は套接リングの下方内側に貼合し、且つ遮蔽部の下方端を折り曲げて固定部を構成し、固定部は套接リングの下方端を包むことを特徴とするセーフティ保温ボトルの構造。
【請求項２】
前記套接リングの下方の外側縁に定位槽を設置し、内蓋セットの固定部の末端を定位槽内に定位することを特徴とする請求項１記載のセーフティ保温ボトルの構造。
【請求項３】
前記套接リングの上方外側縁にストッパーリブを凸設し、ストッパーリブは飲み口の末端に抵触することを特徴とする請求項１記載のセーフティ保温ボトルの構造。
【請求項４】
前記内蓋セットの遮蔽パーツ内に止水パーツを設置し、止水パーツの周囲は遮蔽パーツと接続し、止水パーツの表面に水の出入口と通気孔を設置することを特徴とする請求項１記載のセーフティ保温ボトルの構造。
【請求項５】
前記蓋に蓋本体を設置し、且つ蓋本体内に隔離カバーを設置し、蓋本体はベースを具有し、該ベースの外縁は下向きにサイド壁を延伸し、サイド壁で飲み口の外側を螺合し、且つベースの内側に栓体を凹設し、隔離カバーにステンレスの材質で作られたカバー本体を設置し、カバー本体は栓体の下方表面を覆い、且つカバー本体の下方外側縁に漏れ防止リングを設置することで、蓋本体を飲み口に螺合する時に、漏れ防止リングが内蓋セットの遮蔽パーツの内側表面に抵触することを特徴とする請求項１記載のセーフティ保温ボトルの構造。
【請求項６】
前記蓋本体のベースの表面に定位穴を設置し、カバー本体の上方に定位シートを延伸し、定位シートを定位穴に通した後に折れ曲げて定位することを特徴とする請求項５記載のセーフティ保温ボトルの構造。
【請求項７】
前記蓋本体のベースの表面外縁に飾りシートを設置し、飾りシート内にカバーを設けることを特徴とする請求項５記載のセーフティ保温ボトルの構造。
【考案の詳細な説明】
【技術分野】
【０００１】
本考案はセーフティ保温ボトルの構造に関し、特に保温効果を具有し、飲用する者が安全に飲用できる保温ボトルの構造に関する。
【背景技術】
【０００２】
通常飲料類、お湯、氷水の温度を保つ保温ボトルのボディはステンレスの材質で作られ、プラスティックの材質で作った蓋をボディに螺合する。しかし、保温ボトルを携帯する際、ボトルの中に入れた液体は蓋と接触し、蓋から有害物質を溶け出す可能性がある。また、保温ボトル内にお湯を入れた場合、それにより蓋の温度が大幅に上昇し、更に有害物質が溶け出す可能性がある。よって、如何にして保温ボトル内に入れた液体がプラスティックの材質で作られた蓋と接触せず、飲用する者の安全を確保する物品を案出する必要があった。
【先行技術文献】
【特許文献】
【０００３】
【特許文献１】特開２０１０−１００３４３号公報
【考案の概要】
【考案が解決しようとする課題】
【０００４】
前記公知構造の欠点を解決するため、本考案はステンレスの材質で作られた内蓋セットと隔離カバーを使って、保温ボトル内のプラスティックの材質の蓋を遮蔽することで、保温ボトル内に入れた液体が蓋と接触するのを避けることができ、有害物質の発生を防止し、飲用する者の健康を更に確保するセーフティ保温ボトルの構造を提供することを主な課題とする。
【課題を解決するための手段】
【０００５】
上述の目的を解決するために、本考案はセーフティ保温ボトルの構造を提供するものである。本考案はボディを具有し、ボディに本体を設置し、本体内に収納スペースを具有し、且つ本体の頂端に飲み口を設け、飲み口に蓋を螺合する。飲み口内に導流蓋を設置し、導流蓋に套接リングを設置する。套接リング内にステンレスの材質で作られた内蓋セットを設置し、套接リングは飲み口の内側に套接する。また、套接リングの下方外側縁に漏れ止めリングを設置することで、漏れ止めリングを飲み口と套接リングの間に位置させる。内蓋セットに遮蔽パーツを設置し、遮蔽パーツは遮蔽部を具有し、遮蔽部は套接リングの下方内側に貼合する。また、遮蔽部の下方端を折り曲げて固定部を構成し、固定部は套接リングの下方端を包む。
【０００６】
前記セーフティ保温ボトルの套接リングの下方の外側縁に定位槽を設置し、内蓋セットの固定部の末端を定位槽内に定位し、套接リングの上方外側縁にストッパーリブを凸設し、ストッパーリブは飲み口の末端に抵触する。
【０００７】
前記のセーフティ保温ボトルの該内蓋セットの遮蔽パーツ内に止水パーツを設置し、止水パーツの周囲は遮蔽パーツと接続し、止水パーツの表面に水の出入口と通気孔を設置する。
【０００８】
前記セーフティ保温ボトルの蓋に蓋本体を設置し、且つ蓋本体内に隔離カバーを設置する。蓋本体はベースを具有し、該ベースの外縁は下向きにサイド壁を延伸する。サイド壁で飲み口の外側を螺合し、且つベースの内側に栓体を凹設する。隔離カバーにステンレスの材質で作られたカバー本体を設置する。カバー本体は栓体の下方表面を覆い、カバー本体の下方外側縁に漏れ防止リングを設置することで、蓋本体を飲み口に螺合する時に、漏れ防止リングが内蓋セットの遮蔽パーツの内側表面に抵触する。
【０００９】
前記のセーフティ保温ボトルの蓋本体のベースの表面に定位穴を設置する。カバー本体の上方に定位シートを延伸し、定位シートを定位穴に通した後に折れ曲げて定位をする。蓋本体のベースの表面外縁に飾りシートを設置する。飾りシート内にカバーを設ける。
【考案の効果】
【００１０】
本考案は蓋内にステンレスの材質で作られた隔離カバーと飲み口内に導流蓋を設置し、該導流蓋に套接リングを設置し、套接リング内にステンレスの材質で作られた内蓋セットを設置することで、内蓋セットと隔離カバーで保温ボトル内のプラスティックの材質の蓋と套接リングを遮蔽し、有害物質が発生するのを防止し、飲む者の健康を更に守ることができる。
【図面の簡単な説明】
【００１１】
【図１】本考案の蓋を開けた立体外観図である。
【図２】本考案の蓋を開けた断面図である。
【図３】本考案の蓋をボディに螺合した断面図である。
【図４】本考案の蓋の断面図である。
【図５】本考案の蓋の立体分解図である。
【図６】本考案の導流蓋の立体外観図である。
【図７】本考案の導流蓋の断面図である。
【図８】本考案の導流蓋の立体分解図である。
【図９】本考案の内蓋セットの立体分解図である。
【考案を実施するための形態】
【００１２】
以下、本考案の構造と特徴および効果を、最良実施例と図面を参照しながら詳細に説明する。
【実施例】
【００１３】
図１から図９に示すように、本考案はボディ１、蓋２、導流蓋３、隔離カバー４及び内蓋セット５を含む。
【００１４】
該ボディ１はステンレスの材質で作られ、それに一つの収納スペース１２を具有する本体１１を設置し、本体１１の頂端に飲み口１３を設け、飲み口１３の外側に外ねじ山１４を設置する。
【００１５】
該蓋２はプラスティックで作られ、それに蓋本体２１を設置し、蓋本体２１はベース２１１を具有し、該ベース２１１の外縁は下向きにサイド壁２１２を延伸する。ベース２１１の内側に栓体２１３を凹設し、ベース２１１の表面に定位穴２１４を設置する。また、サイド壁２１２の内側表面に内ねじ山２１５を設置し、蓋２の蓋本体２１のベース２１１の表面外縁に飾りシート２２を設置する。飾りシート２２内にカバー２３を設け、また、蓋２１、飾りシート２２とカバー２３はいずれも高周波の溶接によって組み合わせる。
【００１６】
該導流蓋３をボディ１の飲み口１３内に設置し、該導流蓋３にプラスティックの材質で作られた套接リング３１を設置する。該套接リング３１を飲み口１３の内側に套接し、套接リング３１の下方の外側縁に定位槽３１１を設置し、且つ套接リング３１の下方外側縁にシリコーンの材質で作られた漏れ止めリング３２を設置することで、漏れ止めリング３２を飲み口１３と套接リング３１の間に位置させる。また、套接リング３１の上方外側縁にストッパーリブ３１２を凸設し、ストッパーリブ３１２は飲み口１３の末端に抵触する。
【００１７】
該隔離カバー４を蓋２の蓋本体２１内に設置し、隔離カバー４にステンレスの材質で作られたカバー本体４１を設置する。カバー本体４１は栓体２１３の下方表面を覆い、カバー本体４１の上方に定位シート４１１を延伸し、定位シート４１１を蓋本体２１の定位穴２１４に通した後に折れ曲げて定位をする。カバー本体４１の下方外側縁にシリコーン材質で作られた漏れ防止リング４２を設置する。
【００１８】
該内蓋セット５はステンレスの材質で作られ、それに遮蔽パーツ５１と止水パーツ５２を設置する。遮蔽パーツ５１は遮蔽部５１１を具有し、遮蔽部５１１は套接リング３１の下方内側に貼合する。また、遮蔽部５１１の下方端を折り曲げて固定部５１２を構成し、固定部５１２は套接リング３１の下方端を包む。また、固定部５１２の末端を定位槽３１１内に定位し、止水パーツ５２の周囲は遮蔽パーツ５１と接続し、止水パーツ５２の表面に水の出入口５２１と通気孔５２２を設置する。
【００１９】
図１から図３に示すように、ユーザーがボディ１の収納スペース１２に液体を入れ、更に蓋２の蓋本体２１をボディ１の飲み口１３に螺合する際、内ねじ山２１５を外ねじ山１４と螺合することで、蓋２をボディ１に固定する。蓋２をボディ１に固定する際、漏れ防止リング４２は内蓋セット５の遮蔽パーツ５１の内側表面に抵触する。カバー本体４１は栓体２１３の下方表面を覆い、及び遮蔽パーツ５１が套接リング３１の下方端を覆うことで、液体６がプラスティックで作られた蓋本体２１と套接リング３１と接触することなく、蓋本体２１と套接リング３１から有害物質が溶け出すのを防止する。また、有害物質は液体６に溶け入ることなく、確実に飲む者の安全を守る。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  ボディ
１１  本体
１２  収納スペース
１３  飲み口
１４  外ねじ山
２  蓋
２１  蓋本体
２１１  ベース
２１２  サイド壁
２１３  栓体
２１４  定位穴
２１５  内ねじ山
２２  飾りシート
２３  カバー
３  導流蓋
３１  套接リング
３１１  定位槽
３１２  ストッパーリブ
３２  漏れ止めリング
４  隔離カバー
４１  カバー本体
４１１  定位シート
４２  漏れ防止リング
５  内蓋セット
５１  遮蔽パーツ
５１１  遮蔽部
５１２  固定部
５２  止水パーツ
５２１  水の出入口
５２２  通氣孔
６  液体
【図１】
0003195077.tif 000003
【図２】
0003195077.tif 000004
【図３】
0003195077.tif 000005
【図４】
0003195077.tif 000006
【図５】
0003195077.tif 000007
【図６】
0003195077.tif 000008
【図７】
0003195077.tif 000009
【図８】
0003195077.tif 000010
【図９】
0003195077.tif 000011